(57)【要約】【課題】潜水艦の種別を特定する。【解決手段】潜水艦推定装置１００は、複数の潜水艦ごとに、航跡である波の形状モデルを記憶する記憶部１１０と、撮像装置１１（センサ）により検出された海面形状データから、潜水艦の航跡である波を抽出する波抽出部１２２と、形状モデルのうち、抽出された波の形状に最も類似する形状モデルに対応する潜水艦を特定する類似判定部１２４と、を備える。特定した形状モデルから、海面の下にいる潜水艦の種別を特定することが可能となる。【選択図】図２
2020148550.tif 000002
【特許請求の範囲】
【請求項１】
複数の潜水艦ごとに、航跡である波の形状モデルを記憶する記憶部と、
センサにより検出された海面形状データから、潜水艦の航跡である波を抽出する波抽出部と、
前記形状モデルのうち、抽出された波の形状に最も類似する形状モデルに対応する潜水艦を特定する類似判定部と、
を備える潜水艦推定装置。
【請求項２】
前記類似判定部は、前記抽出された波の高さと波長から、類似判定の対象とする前記形状モデルを絞る請求項１に記載の潜水艦推定装置。
【請求項３】
前記記憶部には、前記形状モデルごとに、波の高さと波長に対応する、潜水艦の水深と大きさが対応付けられた関係データが記憶されており、
前記類似判定部は、前記抽出された波の高さから推定される、潜水艦の水深と大きさの比に基づいて、前記関係データの中から、類似判定の対象とする前記形状モデルを絞る請求項２に記載の潜水艦推定装置。
【発明の詳細な説明】
【技術分野】
【０００１】
本発明は、潜水艦推定装置に関する。
【背景技術】
【０００２】
従来、航空機などに搭載されたセンサにより、海面形状データを生成し、潜水艦の航跡である波を検出する技術が開発されている（例えば、特許文献１）。
【先行技術文献】
【特許文献】
【０００３】
【特許文献１】特開２０１５−１４８４５２号公報
【発明の概要】
【発明が解決しようとする課題】
【０００４】
上記の特許文献１のように、従来の技術では、潜水艦の種別までは特定できなかった。そのため、潜水艦の検出のみならず、潜水艦の種別を特定する技術の開発が希求される。
【０００５】
本発明は、このような課題に鑑み、潜水艦の種別を特定することが可能な潜水艦推定装置を提供することを目的としている。
【課題を解決するための手段】
【０００６】
上記課題を解決するために、本発明の潜水艦推定装置は、複数の潜水艦ごとに、航跡である波の形状モデルを記憶する記憶部と、センサにより検出された海面形状データから、潜水艦の航跡である波を抽出する波抽出部と、形状モデルのうち、抽出された波の形状に最も類似する形状モデルに対応する潜水艦を特定する類似判定部と、を備える。
【０００７】
類似判定部は、抽出された波の高さと波長から、類似判定の対象とする形状モデルを絞ってもよい。
【０００８】
記憶部には、形状モデルごとに、波の高さと波長に対応する、潜水艦の水深と大きさが対応付けられた関係データが記憶されており、類似判定部は、抽出された波の高さから推定される、潜水艦の水深と大きさの比に基づいて、関係データの中から、類似判定の対象とする形状モデルを絞ってもよい。
【発明の効果】
【０００９】
本発明によれば、潜水艦の種別を特定することが可能となる。
【図面の簡単な説明】
【００１０】
【図１】海面上空を飛行する航空機を示す図である。
【図２】潜水艦推定装置の概略を示す機能ブロック図である。
【図３】波抽出部の処理を説明するための図である。
【図４】抽出された部分データの波を鉛直上方から捉えた図である。
【図５】波の断面形状の例を示す図である。
【図６】記憶部に記憶されている関係データを説明するための図である。
【図７】潜水艦推定装置の処理を示すフローチャートである。
【発明を実施するための形態】
【００１１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１２】
図１は、海面ＳＳ上空を飛行する航空機１０を示す図である。図１に示すように、航空機１０には、撮像装置（センサ）１１が搭載されており、撮像装置１１は、海面ＳＳを撮像する。航空機１０は、様々な姿勢となることから、撮像された画像データも、海面ＳＳを鉛直方向に撮像したものとは限らない。
【００１３】
図２は、潜水艦推定装置１００の概略を示す機能ブロック図である。潜水艦推定装置１００は、航空機１０に搭載される。図２に示すように、潜水艦推定装置１００は、記憶部１１０、制御部１２０を備える。
【００１４】
記憶部１１０は、ＲＡＭ、フラッシュメモリ、ＨＤＤ等で構成される。記憶部１１０には、潜水艦の航跡データが記憶される。航跡は、海中を潜水艦が進行した際に、海面ＳＳに生じる波である。航跡データは、海面ＳＳに生じる波の形状データである。航跡データは、鉛直上方から捉えた波の二次元形状でもよいし、立体（三次元）形状でもよい。また、記憶部１１０には、後述する関係データが記憶される。
【００１５】
制御部１２０は、中央処理装置（ＣＰＵ）、プログラム等が格納されたＲＯＭ、ワークエリアとしてのＲＡＭ等を含む半導体集積回路により、潜水艦推定装置１００全体を管理および制御する。
【００１６】
また、制御部１２０は、波抽出部１２２、類似判定部１２４としても機能する。波抽出部１２２は、撮像装置１１により検出された海面形状データ（画像データ）から、潜水艦の航跡である波の形状データ（以下、単に「波」という）を抽出する。
【００１７】
図３は、波抽出部１２２の処理を説明するための図である。図３（ａ）に示すように、海面形状データＤａは、航空機１０の姿勢に応じて様々な形状となる。そこで、波抽出部１２２は、航空機１０の高度、姿勢、および、撮像装置１１の航空機１０に対する相対的な位置、角度から、海面形状データＤａを正規化する。正規化により、海面形状データＤａは、図３（ｂ）に示すように、海面ＳＳを鉛直方向に捉えた画像データとなる。
【００１８】
このとき、波抽出部１２２は、波の影の形状から波の立体形状を推定する。また、撮像装置１１が複数設けられる場合、波抽出部１２２は、複数の撮像装置１１で生成された海面形状データＤａの差分となる視差情報から、波の立体形状を推定してもよい。また、撮像装置１１の代わりに、または、撮像装置１１に加えて、レーダが用いられて、波の立体形状を推定してもよい。
【００１９】
波抽出部１２２は、図３（ｃ）、図３（ｄ）に示すように、記憶部１１０に記憶されている波形データとのパターンマッチングにより、海面形状データＤａから潜水艦の航跡である波Ｗａが含まれる部分データＤｂを抽出する。パターンマッチングでは、波の二次元形状が用いられてもよいし、立体形状が用いられてもよい。
【００２０】
図４は、抽出された部分データＤｂの波Ｗａを鉛直上方から捉えた図である。波Ｗａは、先頭Ｗｂから後方にＶ字型に延在する。先頭Ｗｂを頂点とする波Ｗａの角度θの二等分線は、図４中、破線で示される。二等分線は、例えば、潜水艦の進行方向に平行である。波抽出部１２２は、波Ｗａの部分データＤｂに対し、Ｖ−Ｖ線断面形状を特定する。
【００２１】
図５は、波Ｗａの断面形状の例を示す図である。図５（ａ）、図５（ｂ）には、波ＷａのＶ−Ｖ線断面形状が示される。ただし、図５（ａ）には、潜水艦の水深が浅く、潜水艦が小さい場合が示される。図５（ｂ）には、潜水艦の水深が深く、潜水艦が大きい場合が示される。
【００２２】
図５（ａ）、図５（ｂ）に示すように、潜水艦の大きさが異なっても、水深によっては、波Ｗａの高さｈが等しくなる。すなわち、波Ｗａの高さｈは、（潜水艦の大きさ／水深）に対して比例する。
【００２３】
一方、波の高さｈが同じでも、潜水艦が大きい方が、潜水艦が小さいものよりも、波Ｗａの波長Ｌ（例えば、半波長）が長くなる。
【００２４】
波抽出部１２２は、波Ｗａの立体形状（例えば、Ｖ−Ｖ線断面形状）から、波Ｗａの高さｈ、波長Ｌを特定する。
【００２５】
また、波Ｗａの立体形状（例えば、Ｖ−Ｖ線断面形状）は、潜水艦の種別（例えば、艦級名）ごとに異なる。そこで、記憶部１１０には、複数の潜水艦ごとに、航跡である波の形状モデルが記憶されている。
【００２６】
図６は、記憶部１１０に記憶されている関係データを説明するための図である。関係データは、波の形状モデルＣ１、Ｃ２、Ｃ３、〜、Ｃｎが含まれる。波の形状モデルＣ１、Ｃ２、Ｃ３、〜、Ｃｎには、それぞれ潜水艦の水深と大きさが関連付けられている。
【００２７】
また、関係データは、波Ｗａの高さｈと波長Ｌの組み合わせに応じ、複数設けられる。例えば、高さｈ／波長Ｌの値について、所定の値の範囲ごとに、関係データが設けられる。
【００２８】
ここで、同一の波の形状モデルが、複数の関係データに含まれる場合もある。異なる関係データに含まれる形状モデル同士を比較すると、水深が互いに異なる（波Ｗａの高さｈと波長Ｌが異なるため）。
【００２９】
類似判定部１２４は、上記のように、波Ｗａの高さｈと波長Ｌを特定すると、対応する関係データを特定し、記憶部１１０から読み出す。上記のように、波の高さｈは、（潜水艦の大きさ／水深）に対して比例する。比例係数は、予め実測値などから設定される。その結果、波の高さｈに対応する（潜水艦の大きさ／水深）は、図６に示す一点鎖線のように、一意に特定される。
【００３０】
類似判定部１２４は、図６に破線で示すように、一点鎖線を中心として、所定の水深幅を持たせた範囲にある波の形状モデル群（形状モデルＣ３など）を特定する。そして、類似判定部１２４は、特定した形状モデル群に含まれる形状モデルそれぞれについて、波Ｗａの立体形状とのパターンマッチングを行う。類似判定部１２４は、パターンマッチングの結果、最も類似する（例えば、内積などから導出される類似度が高い）形状モデルを特定する。
【００３１】
このように、類似判定部１２４は、抽出された波Ｗａの高さｈから推定される、潜水艦の水深と大きさの比に基づいて、関係データの中から、類似判定の対象とする形状モデルを絞る。そのため、処理負荷が軽減される。
【００３２】
図７は、潜水艦推定装置１００の処理を示すフローチャートである。図７に示す処理は、例えば、撮像装置１１から海面形状データを取得すると実行される。
【００３３】
（Ｓ２００）
波抽出部１２２は、航空機１０の高度、姿勢、および、撮像装置１１の航空機１０に対する相対的な位置、角度から、海面形状データＤａを正規化する。
【００３４】
（Ｓ２０２）
波抽出部１２２は、海面形状データＤａにおける波の立体形状を推定する。
【００３５】
（Ｓ２０４）
波抽出部１２２は、記憶部１１０に記憶されている波形データとのパターンマッチングにより、海面形状データＤａから潜水艦の航跡である波Ｗａが含まれる部分データＤｂを抽出する。
【００３６】
（Ｓ２０６）
波抽出部１２２は、波Ｗａの立体形状から、波Ｗａの高さｈ、波長Ｌを特定する。
【００３７】
（Ｓ２０８）
類似判定部１２４は、特定した波Ｗａの高さｈと波長Ｌに対応する関係データを特定し、記憶部１１０から読み出す。
【００３８】
（Ｓ２１０）
類似判定部１２４は、波Ｗａの高さｈと波長Ｌに応じ、関係データから、所定の水深幅を持たせた範囲にある波の形状モデル群を特定する。
【００３９】
（Ｓ２１２）
類似判定部１２４は、特定した形状モデル群の形状モデルの中から、パターンマッチングにより、波Ｗａに最も類似する形状モデルを特定する。
【００４０】
こうして、潜水艦推定装置１００（類似判定部１２４）は、特定した形状モデルから、海面ＳＳの下にいる潜水艦の種別を特定することが可能となる。
【００４１】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００４２】
例えば、上述した実施形態では、類似判定部１２４は、抽出された波の高さｈと波長Ｌから、類似判定の対象とする形状モデルが含まれる関係データを絞る場合について説明した。この場合、処理負荷を低減できる。ただし、類似判定部１２４は、抽出された波の高さｈと波長Ｌから、類似判定の対象とする形状モデルを絞らなくてもよい。
【００４３】
また、上述した実施形態では、類似判定部１２４は、抽出された波Ｗａの高さｈから、潜水艦の水深と大きさの比に基づいて、関係データの中から、類似判定の対象とする形状モデルを絞る場合について説明した。ただし、類似判定部１２４は、関係データに含まれるすべての形状モデルを、類似判定の対象としてもよい。
【産業上の利用可能性】
【００４４】
本発明は、潜水艦推定装置に利用することができる。
【符号の説明】
【００４５】
１００  潜水艦推定装置
１１０  記憶部
１２２  波抽出部
１２４  類似判定部
Ｃ１、Ｃ２、Ｃ３、Ｃｎ  形状モデル
Ｄａ  海面形状データ
Ｌ  波長
ＳＳ  海面
Ｗａ  波
ｈ  高さ
【図１】
2020148550.tif 000003
【図２】
2020148550.tif 000004
【図３】
2020148550.tif 000005
【図４】
2020148550.tif 000006
【図５】
2020148550.tif 000007
【図６】
2020148550.tif 000008
【図７】
2020148550.tif 000009